(57)【要約】【課題】手の大きさや把持位置が変動しても、リールシートを介して安定して把持することのできる釣竿を提供すること【解決手段】強化繊維に合成樹脂を含浸させた繊維強化プリプレグを巻回して形成した竿杆８を内部に挿通し、魚釣用リールの取付脚部６を載置するリール脚載置面２６を一側に形成したリールシート本体１８を備え、このリールシート本体１８は、リール脚載置面２６の後方側に、魚釣用リールの取付脚部６の一端を保持する固定フード３０を有し、この固定フード３０の後方に、周方向に沿って外方に開口する窪み部３２が形成される釣竿１０。【選択図】      図５
2007202402.tif 000002
【特許請求の範囲】
【請求項１】
強化繊維に合成樹脂を含浸させた繊維強化プリプレグを巻回して形成した竿杆を内部に挿通し、魚釣用リールの取付脚部を載置するリール脚載置面を一側に形成したリールシート本体を備え、このリールシート本体は、リール脚載置面の後方側に、前記魚釣用リールの取付脚部の一端を保持する固定フードを有し、この固定フードの後方に、周方向に沿って外方に開口する窪み部が形成されることを特徴とする釣竿。
【請求項２】
強化繊維に合成樹脂を含浸させた繊維強化プリプレグを巻回して形成した竿杆を内部に挿通し、魚釣用リールの取付脚部を載置するリール脚載置面を一側に形成したリールシート本体を備え、このリールシート本体は、リール脚載置面の後方側に、前記魚釣用リールの取付脚部の一端を保持する固定フードを有しかつこの固定フードの後端部で終端しており、更に、この固定フードおよび前記リール脚載置面に対向する他側に装着され、前記固定フードの後方側に位置するリールシート本体の終端部よりも後方に延設されるカバー部材を備え、このカバー部材の後方側に、周方向に沿って外方に開口する窪み部が形成されることを特徴とする釣竿。
【請求項３】
前記竿杆とリールシート本体との間にスペーサ部材が介挿されることを特徴とする請求項１又は２に記載の釣竿。
【請求項４】
前記スペーサ部材は、前記竿杆とカバー部材との間を、このカバー部材を超えて後方側に延び、前記窪み部は、このスペーサ部材の外周部上に配置された前記カバー部材の後方側端部とこのカバー部材の後方側端部に対向配置された柔軟性部材との間に形成され、前記カバー部材よりも硬質のスリーブが、カバー部材の後方側端部と柔軟性部材の前方側端部との間で、前記スペーサ部材の外周部に設けられていることを特徴とする請求項３に記載の釣竿。
【請求項５】
前記窪み部は、魚釣用リールの取付脚部の一端側を収容する固定フードの開口部から、後方２０ｍｍ〜５０ｍｍの範囲に配置されていることを特徴とする請求項１から４のいずれか１つに記載の釣竿。
【請求項６】
前記リールシート本体内に挿通される竿杆は、リールシート本体の後端部に近接した位置で、５ｍｍ〜１３ｍｍの範囲の外径を有することを特徴とする請求項１から５のいずれか１つに記載の釣竿。
【請求項７】
前記窪み部の前方側と後方側とが略同一の外径を有することを特徴とする請求項１から６のいずれか１つに記載の釣竿。
【発明の詳細な説明】
【技術分野】
【０００１】
本発明は、釣竿に関し、特に、魚釣用リールの取付脚部を載置するリール脚載置面を一側に形成したリールシート本体を有する釣竿に関する。
【背景技術】
【０００２】
一般に、釣竿に魚釣用リールを取付けるリールシートは、リールの取付脚部を載置するリール脚載置面をリールシート本体に形成し、このリール脚載置面の長手方向に沿って対向配置した一対のフードにより、リールの取付脚部をこのリール脚載置面上に保持する。これらの一対のフードは、それぞれが取付脚部を受け入れる開口部を有し、かつ、一方がリール脚載置面に対して移動し、所要位置に固定可能な移動フードとして形成され、これらの一対のフード間に取付脚部を挟持させることにより、リールを釣竿に装着する。
【０００３】
このようなリールシート本体は、内部に挿通した竿管に接着することで固定するのが一般的であり、径の異なる種々の竿杆に取付けた場合でも、握持し易くするため、握持し易い外径を持つパイプ状に形成し、更に、リール脚載置面に対して径方向反対側で、後方側フードに近接した位置には、握持した手の小指側の側縁部に係止して釣竿が前方にずれるのを防止する凸部を形成した釣竿が開発されている（例えば特許文献１参照）。
【特許文献１】特開２００２−２６２７２６
【発明の開示】
【発明が解決しようとする課題】
【０００４】
このような凸部をリールシート本体に形成した釣竿は、親指に力を入れることなく、自然な状態で軽く握持するだけで、釣竿が前方側にずれるのを防止することが可能であるとしても、手の大きさや握り位置が釣人によって異なるため、しっくりとした状態で把持することができない場合が発生する。
【０００５】
本発明は、このような事情に基づいてなされたもので、手の大きさや把持位置が変動しても、リールシートを介して安定して把持することのできる釣竿を提供することを目的とする。
【課題を解決するための手段】
【０００６】
上記目的を達成する本発明の釣竿は、強化繊維に合成樹脂を含浸させた繊維強化プリプレグを巻回して形成した竿杆を内部に挿通し、魚釣用リールの取付脚部を載置するリール脚載置面を一側に形成したリールシート本体を備え、このリールシート本体は、リール脚載置面の後方側に、前記魚釣用リールの取付脚部の一端を保持する固定フードを有し、この固定フードの後方に、周方向に沿って外方に開口する窪み部が形成されることを特徴とする。
【０００７】
更に、強化繊維に合成樹脂を含浸させた繊維強化プリプレグを巻回して形成した竿杆を内部に挿通し、魚釣用リールの取付脚部を載置するリール脚載置面を一側に形成したリールシート本体を備え、このリールシート本体は、リール脚載置面の後方側に、前記魚釣用リールの取付脚部の一端を保持する固定フードを有しかつこの固定フードの後端部で終端しており、更に、この固定フードおよび前記リール脚載置面に対向する他側に装着され、前記固定フードの後方側に位置するリールシート本体の終端部よりも後方に延設されるカバー部材を備え、このカバー部材の後方側に、周方向に沿って外方に開口する窪み部が形成される釣竿が提供される。
【０００８】
このような釣竿は、竿杆とリールシート本体との間にスペーサ部材が介挿されることが好ましい。
【０００９】
前記スペーサ部材は、前記竿杆とカバー部材との間を、このカバー部材を超えて後方側に延び、前記窪み部は、このスペーサ部材の外周部上に配置された前記カバー部材の後方側端部とこのカバー部材の後方側端部に対向配置された柔軟性部材との間に形成され、前記カバー部材よりも硬質のスリーブが、カバー部材の後方側端部と柔軟性部材の前方側端部との間で、前記スペーサ部材の外周部に設けられていてもよい。
【００１０】
いずれの場合も、前記窪み部は、魚釣用リールの取付脚部の一端側を収容する固定フードの開口部から、後方２０〜５０ｍｍの範囲に配置されていることが好ましい。
【００１１】
また、前記リールシート本体内に挿通される竿杆は、リールシート本体の後端部に近接した位置で、５ｍｍ〜１３ｍｍの範囲の外径を有することが好ましい。
【００１２】
更に、前記窪み部の前方側と後方側とが略同一の外径を有することが好ましい。
【発明の効果】
【００１３】
本発明の釣竿によると、固定フードの後方に、周方向に沿って外方に開口する窪み部が形成されることにより、魚釣用リールを装着したリールシートを把持したときに、把持する手の掌や小指等の好みの部位をこの窪み部に当て、手の大きさや把持位置が変動しても、リールシートを介して安定して把持することができる。
【００１４】
また、固定フードの後方側に位置するリールシート本体の終端部よりも後方に延設されるカバー部材を備え、このカバー部材の後方側に、周方向に沿って外方に開口する窪み部が形成される釣竿の場合は、手の大きさや把持位置が変動しても、リールシートを介して安定して把持することができることに加え、カバー部材をリールシート本体とは別の材料、例えば把持感がソフトで冷たくなく、しかも滑り難い材料で形成することにより、リールシート本体よりも曲げ剛性を小さくし、竿杆に作用する応力を軽減することができる。
【００１５】
このようなリールシート本体と竿杆との間にスペーサ部材を介挿する場合には、釣竿を軽量化することができると共に、リールシート本体の外形形状を釣人が把持し易い大きさおよび形状を維持した上で、例えばルアーロッド等のような小径の竿杆を備える釣竿にも対応することができる。
【００１６】
上記カバー部材よりも硬質のスリーブが、カバー部材の後方側端部と柔軟性部材の前方側端部との間で、上記スペーサ部材の外周部に設けられている場合には、例えば釣竿を立てた状態で魚とやり取りする等の強い力で握ったときに、把持する手に安定感を付与して確実に把持することができる。
【００１７】
窪み部が、魚釣用リールの取付脚部の一端側を収容する固定フードの開口部から、後方２０ｍｍ〜５０ｍｍの範囲に配置されている場合には、釣人の手の大きさや把持位置が変動しても、窪み部に手を当接させることができる。
【００１８】
リールシート本体内に挿通される竿杆は、リールシート本体の後端部に近接した位置で、５ｍｍ〜１３ｍｍの範囲の外径を有する場合には、例えばルアーロッド等の小径竿杆を用いる場合であっても、リールシート本体を長くしたり別部材を取付けることなく、窪み部を形成することができ、把持感あるいは把持した際の安定感が増大する。
【００１９】
特に、窪み部の前方側と後方側とが略同一の外径を有する場合には、握持した掌の手首側を安定した状態で当接させることができる。
【発明を実施するための最良の形態】
【００２０】
図１および図２は、本発明の好ましい実施形態による釣竿１０の元側すなわち後方側を示す。  
この釣竿１０は、ルアーロッドとして形成され、強化繊維に合成樹脂を含浸させた繊維強化プリプレグを巻回して中空構造あるいは中実構造に形成される竿杆８の元側あるいは後方側に、魚釣用スピニングリール（図示しない）を取付けるためのリールシート１２と、このリールシート１２の後端側に配置されたグリップ１４とを備える。竿杆８は、リールシート１２の後端部に近接した位置で、例えば５ｍｍ〜１３ｍｍの範囲の種々の外径を有するものを用いることができる。また、リールシート１２の後方に設けられたグリップ１４は、握持する手で握り込んだときに、握持しやすい例えばエチレン酢酸ビニル樹脂等の軟質樹脂、コルク、発泡材、ゴム、エラストマー等の柔軟性を有する材料で形成するのが好ましい。本実施形態では、グリップ１４は、リールシート１２から後方に離隔した位置に配置してあり、このリールシート１２とグリップ１４との間には、竿杆８の外面を保護する保護スリーブ１６を配置してある。
【００２１】
本実施形態のリールシート１２は、中空管状構造のリールシート本体１８を備え、このリールシート本体１８の例えば前端側である軸方向の一端側に形成した図示しないねじ部に螺合されるナット部材２０により、後方に開口部を開口させた移動フード２２が軸方向に沿って移動自在に装着される。このリールシート本体１８の内部に挿通される竿杆８との間には、スペーサ部材２４が介挿されている。このスペーサ部材２４は、後述するように硬質材料で形成されるリールシート本体１８と竿杆８との直接接触を防止し、竿杆８に過大な応力が作用するのを防止するために、例えばエチレン酢酸ビニルコポリマー（ＥＶＡ）、ウレタン等の発泡材料あるいはコルク等の軽量でかつ竿杆８よりも軟質の材料で中空構造に形成されるのが好ましい。これらの竿杆８とスペーサ部材２４とリールシート本体１８とは、例えば接着剤を用いて互いに強固な一体構造に固着される。
【００２２】
このようなスペーサ部材２４が、リールシート本体１８と竿杆８との間に介挿されことにより、釣竿１０を軽量化することができると共に、リールシート本体１８の外形形状を釣人が把持し易い大きさおよび形状を維持した上で、上述のように例えばバス、シーバス等のルアーロッドとして、例えば５ｍｍの細い外径を有するものから１３ｍｍの比較的太い外径を有するものまで、種々の外径を有する釣竿に用いることができる。
【００２３】
本実施形態のリールシート本体１８は、構造用合成樹脂（例えばＡＢＳ、ポリアミド、ポリスチロール、ポリプロピレン、ポリカーボネート等）あるいは金属（例えばＳＵＳ、アルミニウム、チタン、真鍮等）等の適宜の材料から硬質の筒状構造に形成され、図では下側に示す一側に、魚釣用リールの取付脚部６（図５参照）を載置するリール脚載置面２６が形成されている。更に、このリールシート本体１８には、移動フード２２に向けて開口部２８を開口させた固定フード３０が一体的に設けられている。この固定フード３０の開口部２８は、移動フード２２の開口部とは逆に、後端側に向けて次第に高さが低くなり、この開口部２８から受入れた取付脚部６の足部６ａ（図５参照）一端が内方に押圧されたときに、この取付脚部６を移動フード２２と共にリール脚載置面２６側に付勢する。本実施形態の固定フード３０は、リールシート本体１８と一体構造に形成してある。これに代え、金属又は硬質の合成樹脂でリールシート本体１８と別体構造に形成し、リールシート本体１８に強固に固定してもよい。金属で形成する場合には、取付脚部６の足部６ａに当接する部位に樹脂製部材を配置し、金属同士の接触による各部材の損傷を防止することが好ましい。
【００２４】
このリールシート本体１８は、リール脚載置面２６の後方側に配置した固定フード３０から更に後方側に延長部１８ａを延設してあり、この延長部１８ａの外周部に、周方向に沿って半径方向外方に開口する周溝状の窪み部３２を形成してある。本実施形態の窪み部３２は、互いに逆方向に傾斜する截頭円錐状面で形成した前壁部３２ａと後壁部３２ｂと、円筒状の底壁部３２ｃとで形成してあり、釣人の手の大きさや把持位置が変動しても、窪み部３２に手を当接させて係止可能とするために、固定フード３０の開口部２８から窪み部３２の前壁部３２ａが例えば２０ｍｍ以上で、後壁部３２ｂが例えば５０ｍｍ未満の範囲となるように形成することが好ましい。また、この窪み部３２と固定フード３０との間の前方側円筒状部３４の外径Ｄ１と後方側円筒状部３６の外径Ｄ２とは、握持した掌の手首側を安定した状態で当接可能とするために、略同一の大きさに形成することが好ましく、特に、これらの外径Ｄ１，Ｄ２は、１８ｍｍ〜２５ｍｍの範囲に形成し、その差を±２％程度以内とすることにより、安定した状態で把持することができる。
【００２５】
このような窪み部３２は、掌あるいは指等の所要部位を係止できるものであれば適宜の寸法に形成することが可能であるが、軸方向長さを例えば８〜２５ｍｍの範囲に形成し、深さすなわち円筒状部３４，３６と底壁部３２ｃとの半径の差を１ｍｍ〜４ｍｍの範囲に形成することが好ましい。また、釣人の手が当たる部位、例えば前方側円筒状部３４と前壁部３２ａとの間、後方側円筒状部３６と後壁部３２ｂとの間、および、後方側円筒状部３６と後端面３８との間にそれぞれ浅い周溝４０や面取りを形成し、鋭い角部が形成されないようにしておくことが好ましい。
【００２６】
このように、リールシート本体１８を固定フード３０から更に後方側に延長して、この延長部に窪み部３２を形成したことにより、魚釣用リールを取付けた状態で釣竿１０を操作する際、リール脚載置面２６から突出する魚釣用リールの取付脚部６（図５）を例えば人差し指と中指との間、中指と薬指との間、あるいは薬指と小指との間のいずれの位置に挟んで把持した場合であっても、窪み部３２を把持する手の掌等に押し当てて、この窪み部３２に食込ませた状態で係止することができる。すなわち、手の大きさや把持位置が変動しても、握持する手の掌や小指等の好みの部位をこの窪み部に当て、リールシートを介して安定して把持することができる。
【００２７】
このため、魚釣用リールの取付脚部６を通じてリールシート１２したがって釣竿１０の回転方向の力を支えると共に、この窪み部３２を通じて前後方向すなわち釣竿１０の長手方向に沿って作用する力を支えることができる。キャスティングの際、キャスティング後の釣竿操作、あるいは釣竿が荷重で曲がったとき等に、この窪み部３２を介してリールシート本体１８および竿杆８に作用する、特に前後方向の力を好適に支えることができ、しかも、リールシート本体１８に作用する力は、発泡材で形成されたスペーサ部材２４を介して竿杆８に伝達されるため、竿杆８に対する応力が集中的に作用することがない。
【００２８】
図３から図５は、他の実施形態による釣竿１０の元側を示す。なお、本実施形態においても、基本的には上述の実施形態と同様であるため、同様な部位には同様な符号を付し、詳細な説明を省略する。  
本実施形態のリールシート本体１８は、固定フード３０の後端部で終端しており、上述の実施形態における延長部１８ａは設けられていない。リール脚載置面２６に対向する側は薄肉構造に形成され、後端側の端面には、断面楔状の切込み部４２が形成されている。
【００２９】
このようにリールシート本体１８の一側に形成された固定フード３０およびリール脚載置面２６に対向する他側には、固定フード３０の後方側に位置するリールシート本体１８の終端部１９よりも後方に延設されるカバー部材４４と、このカバー部材４４の後方側端部と対向させて配置された柔軟性部材４６とが設けられている。このカバー部材４４は、リールシート本体１８の終端部１９の後方側部位が前方側円筒状部３４を形成し、柔軟性部材４６は後方側円筒状部３６を形成し、これらのカバー部材４４で形成される前方側円筒状部３４と、柔軟性部材４６で形成される後方側円筒状部３６との間に、周方向に沿って外方に開口する窪み部３２が形成される。
【００３０】
図４に拡大して示すように、本実施形態では、固定用リング４８ａ，４８ｂ，４８ｃにより、カバー部材４４と柔軟性部材４６とがそれぞれスペーサ部材２４上に固定されている。また、これらのカバー部材４４と柔軟性部材４６との間には、スペーサ部材２４の外周部を覆う円筒状のスリーブ５０が配置され、両端部を固定用リング４８ａ，４８ｂで保持されている。したがって、窪み部３２の前壁部３２ａと後壁部３２ｂは、固定用リング４８ａ，４８ｂで形成され、底壁部３２ｃはスリーブ５０で形成される。
【００３１】
このカバー部材４４と柔軟性部材４６とは、リールシート本体１８を形成する上述の硬質材料とは別材料、例えば把持感がソフトで冷たくなく、しかも滑り難い材料で形成してある。このようなカバー部材４４および柔軟性部材４６を形成する材料は、例えばゴム、エラストマー、ＥＶＡ等の柔軟な材料であることが好ましい。また、窪み部３２の底壁部３２ｃを形成するスリーブ５０は、例えばＦＲＰあるいは金属等の、カバー部材４４および柔軟性部材４６よりも硬質の材料で形成するのが好ましい。なお、固定用リング４８ａ，４８ｂ，４８ｃは、把持部の強度を確保するため、カバー部材４４および柔軟性部材４６と同様な硬さあるいはそれ以上の硬さを有する材料で形成することが好ましいが、省略することも可能である。これらの固定用リング４８ａ，４８ｂ，４８ｃを省略した場合は、カバー部材４４と柔軟性部材４６とスリーブ５０とをスペーサ部材２４上に、接着剤等で直接固定してもよい。
【００３２】
図５に示すように、このリールシート１２Ａを把持するときに、魚釣用リールの取付脚部６を把持する手の中指と薬指とで挟んだ状態で握りこむと、掌のほぼ中央部がカバー部材４４に接触し、小指側の手首側部位（掌根）が窪み部３２に食込むように当接する。一方、取付脚部６を薬指と小指又は人差し指と中指との間に挟み込んで把持すると、より手首に近い部位あるいは小指に近い部位が窪み部３２に当接する。したがって、手の大きさや把持位置が変動した場合でも、この窪み部３２に掌や小指等の適宜部位を当接させることができ、確実に把持することができる。
【００３３】
また、固定フード３０よりも後方側に、柔軟な材料で形成されたカバー部材４４および柔軟性部材４６が設けられていることにより、リールシート１２Ａの後方側部位の曲げ剛性が竿杆８の曲げ剛性に近いものとなり、竿杆８の撓み性を阻害しない。また、リールシート１２Ａ自体が、特に窪み部３２の近部で柔軟性を有するため、竿杆８に応力集中が発生し難い。特に、強く握りこむ小指側に、柔軟な材料で形成されたカバー部材４４および柔軟性部材４６が配置されていることにより、把持性に優れる。
【００３４】
更に、これらのカバー部材４４および柔軟性部材４６が強く握り込まれた場合でも、カバー部材４４よりも硬質な材料で形成されたスリーブ５０が、窪み部３２の底壁部３２ｃとして、発泡材等で形成されたスペーサ部材２４の外周部を覆うように配置されていることにより、例えば釣竿１０を立てた状態で魚とやり取りする等の強い力で握ったときでも、このスリーブ５０が握持する手が前後方向あるいは上下方向にずれるのを防止して、安定感を付与し、確実に把持することができる。
【００３５】
なお、上記の実施形態では、カバー部材４４と柔軟性部材４６とをそれぞれ独立した部材として形成したが、これらを同じ材料で一体構造に形成してもよい。
【図面の簡単な説明】
【００３６】
【図１】本発明の好ましい実施形態による釣竿の元部側の一部を断面とした説明図。
【図２】図１に示す釣竿のリールシートの内部構造を示す拡大断面図。
【図３】他の実施形態による釣竿の元部側の一部を断面とした図１と同様な説明図。
【図４】図３に示す釣竿のリールシートの内部構造を示す拡大断面図。
【図５】図３に示すリールシートを把持した状態の説明図。
【符号の説明】
【００３７】
６…取付脚部、８…竿杆、１０…釣竿、１２，１２Ａ…リールシート、１８…リールシート本体、２６…リール脚載置面、３０…固定フード、３２…窪み部、４４…カバー部材。
【図１】
2007202402.tif 000003
【図２】
2007202402.tif 000004
【図３】
2007202402.tif 000005
【図４】
2007202402.tif 000006
【図５】
2007202402.tif 000007